(57)【特許請求の範囲】
【請求項１】
庫内の収納室同士の間を仕切る仕切部の前面に防露用の放熱パイプが配管され、前記放熱パイプは金属製の化粧板で隠される冷蔵庫において、
前記放熱パイプは前記仕切部の前面部分を構成する樹脂成型品と前記化粧板の間に挟み付けられて保持されるものであり、
前記化粧板は当該化粧板自身に形成された係合部を前記樹脂成型品に形成された係合部に係合させて前記樹脂成型品に取り付けられるものであり、その際前記放熱パイプが偏平化する程度の圧力を前記放熱パイプに対して及ぼすことを特徴とする冷蔵庫。
【請求項２】
前記化粧板側の係合部とそれに対応する前記樹脂成型品側の係合部は前記化粧板の長さ方向に沿って複数箇所に配置され、全ての係合部が係合したとき、前記化粧板はその長さ方向を含む平面内で、前記収納室の扉に向かって凸となるように湾曲せしめられることを特徴とする請求項１に記載の冷蔵庫。
【発明の詳細な説明】
【技術分野】
【０００１】
本発明は冷蔵庫に関する。
【背景技術】
【０００２】
冷蔵庫の収納室は、冷蔵室と冷凍室といった具合に複数の収納室に仕切られ、それぞれの収納室に扉が設けられているのが通常の構成である。収納室を仕切る仕切部は庫内の冷気で冷却される。冷却された仕切部の前面部分は、部分的には扉で覆われるものの、庫外に露出する箇所が生じることは避けがたい。仕切部の庫外露出箇所に庫外の空気が接触すると、空気中の水分がそこに結露し、結露水が生じる。結露水が下に垂れるのは好ましくないので、仕切部には庫外露出箇所が冷えすぎないようにする防露装置が設けられる。そのような防露装置のいくつかを紹介する。
【０００３】
特許文献１に記載された冷蔵庫では、仕切部の前部に意匠板が配設される。意匠板の背後には冷凍サイクルの放熱側冷媒管が配設される。冷媒管は断熱材に埋め込まれた形になっている。意匠板の上下縁には裏面に向かって折れ曲がった折曲部が形成され、この折曲部の奥行きは折曲部から冷媒管の熱が流出しない程度に設定される。
【０００４】
特許文献２に記載された冷蔵庫では、一方の室側の仕切りと他方の室側の仕切りを合わせて１個の仕切部を構成する。仕切りと仕切りの間に仕切板を配置し、この仕切板の背面に放熱パイプを取り付けて、仕切板での結露を防止するようにしている。
【０００５】
特許文献３に記載された冷蔵庫では、仕切部の内部に断面コの字状の補強用空間部を設け、この内部に断熱材を配し、その前面に防露パイプを配し、さらに鉄製の前板を配している。
【０００６】
図６に示すのは従来の仕切部の構造例である。樹脂成型品１００により仕切部の前面部分が構成されるものであり、樹脂成型品１００の前面に放熱パイプ１０１が配管される。放熱パイプ１０１は金属板のプレス成型品からなるパイプホルダ１０２により樹脂成型品１００に固定される。その後、金属板のプレス成型品からなる化粧板１０３が、放熱パイプ１０１を隠すように樹脂成型品１００の前面に取り付けられる。
【０００７】
放熱パイプ１０１には高温の冷媒が流れるものであり、この冷媒の熱が化粧板１０３に伝わることにより、化粧板１０３の防露がなされる。化粧板１０３の裏面には、放熱パイプ１０１ががたつかないように押さえ込み、また放熱パイプ１０１からの熱を伝達する目的で、弾性材料からなるクッション１０４が取り付けられている。クッション１０４は、パイプホルダ１０２が存在する箇所と存在しない箇所の間のパイプホルダ１０２の板厚分の段差を吸収する役割も果たす。クッション１０４を構成する弾性材料としては一般的にブチルゴムが用いられる。
【先行技術文献】
【特許文献】
【０００８】
【特許文献１】特開２０００−２１３８５３号公報
【特許文献２】特開２００２−２９５９５５号公報
【特許文献３】特開２０００−９３８０号公報
【発明の概要】
【発明が解決しようとする課題】
【０００９】
本発明は、冷蔵庫の仕切部前面の化粧板の防露を、従来用いられていた部材なしでも確実に行えるようにすることを目的とする。
【課題を解決するための手段】
【００１０】
上記目的を達成するために本発明は、庫内の収納室同士の間を仕切る仕切部の前面に防露用の放熱パイプが配管され、前記放熱パイプは金属製の化粧板で隠される冷蔵庫において、前記放熱パイプは前記仕切部の前面部分を構成する樹脂成型品と前記化粧板の間に挟み付けられて保持されるものであり、前記化粧板は当該化粧板自身に形成された係合部を前記樹脂成型品に形成された係合部に係合させて前記樹脂成型品に取り付けられるものであり、その際前記放熱パイプが偏平化する程度の圧力を前記放熱パイプに対して及ぼすことを特徴としている。
【００１１】
上記構成の冷蔵庫において、前記化粧板側の係合部とそれに対応する前記樹脂成型品側の係合部は前記化粧板の長さ方向に沿って複数箇所に配置され、全ての係合部が係合したとき、前記化粧板はその長さ方向を含む平面内で、前記収納室の扉に向かって凸となるように湾曲せしめられることが好ましい。
【発明の効果】
【００１２】
本発明によると、仕切部の前面部分を構成する樹脂成型品とこれに取り付けられる金属製の化粧板の間に放熱パイプを挟み付けるに際し、化粧板は放熱パイプが偏平化する程度の圧力を放熱パイプに対して及ぼすから、化粧板と放熱パイプの密着度が上がり、放熱パイプの熱が効率良く化粧板に伝えられる。これにより化粧板の結露を効果的に防ぐことができる。
【図面の簡単な説明】
【００１３】
【図１】冷蔵庫の正面図である。
【図２】扉を取り去った冷蔵庫の正面図である。
【図３】冷蔵庫の部分垂直断面図である。
【図４】冷蔵庫の要部垂直断面図である。
【図５】冷蔵庫の要部水平断面図である。
【図６】従来の冷蔵庫の要部垂直断面図である。
【発明を実施するための形態】
【００１４】
＜第１実施形態＞
冷蔵庫の筐体構造を図１、２に基づき説明する。冷蔵庫１の筐体２は、庫内の空間が仕切部３によって上下の収納室に仕切られ、上部の収納室が冷凍室４、下部の収納室が冷蔵室５となっている。冷凍室４は扉６で閉ざされ、冷蔵室５は扉７で閉ざされる。仕切部３の前面部の内側にはヘアピン形状を描くように放熱パイプ８が引き回される。放熱パイプ８は銅製である。
【００１５】
図３には扉６及び扉７の詳細構造が示されている。扉６の主な構成要素は、前面の化粧パネル６ａ、冷凍室４側の内板６ｂ、扉６の周囲を囲み且つ化粧パネル６ａと内板６ｂを連結するドアキャップ６ｃ、及びこれら３部材で囲まれる空間に形成される発泡樹脂よりなる断熱層である。扉７の主な構成要素は、前面の化粧パネル７ａ、冷蔵室５側の内板７ｂ、扉７の周囲を囲み且つ化粧パネル７ａと内板７ｂを連結するドアキャップ７ｃ、及びこれら３部材で囲まれる空間に形成される発泡樹脂よりなる断熱層である。内板６ｂ、７ｂは合成樹脂シートをブロー成型したものであり、ドア棚を形成するための凹凸形状を有している。ドアキャップ６ｃ、７ｃは合成樹脂の射出成型品である。
【００１６】
仕切部３は、水平な棚形状の本体部３ａと、本体部３ａに固定されて仕切部３の前面部分を構成する樹脂成型品３ｂを備える。本体部３ａの内部空間には発泡樹脂よりなる断熱層が形成される。樹脂成型品３ｂの前面に放熱パイプ８が配置され、放熱パイプ８は金属板のプレス成型品からなるパイプホルダ９で樹脂成型品３ｂに取り付けられる。
【００１７】
樹脂成型品３ｂの前面には金属板のプレス成型品からなる化粧板１０が取り付けられ、放熱パイプ８は化粧板１０で隠される。なお、放熱パイプ８を樹脂成型品３ｂと化粧板１０で挟み付けて保持し、パイプホルダ９を廃止する構成としてもよい。
【００１８】
図３、４に示す通り、化粧板１０は断面コ字形にプレス成型されている。化粧板１０は防錆処理がなされた鋼板を素材とし、それに化粧用の塗装を施したものである。扉６のドアパッキン６ｄに内蔵された磁石６ｅと、扉７のドアパッキン７ｄに内蔵された磁石７ｅは、筐体２を構成する鋼板に吸着すると同時に化粧板１０にも吸着し、これによりドアパッキン６ｄ、７ｄの箇所の気密が保たれる。
【００１９】
化粧板１０は、それ自身に形成された係合部を樹脂成型品３ｂに形成された係合部に係合させて樹脂成型品３ｂに取り付けられ、同時に樹脂成型品３ｂとの間に放熱パイプ８を挟み付ける。放熱パイプ８は樹脂成型品３ｂの前面に形成されたリブ１１に押し当てられる。
【００２０】
化粧板１０側の係合部は上部の縁と下部の縁にそれぞれ上方及び下方に向けて切り起こした爪片１２である。爪片１２は先端を扉６あるいは扉７の側に向けている。樹脂成型品３ｂ側の係合部は爪片１２を受け入れる凹陥孔１３である。なお、樹脂成型品３ｂ側の係合部を爪片とし、化粧板１０側の係合部を凹陥孔または貫通孔としてもよい。
【００２１】
化粧板１０を樹脂成型品３ｂに嵌め込み、強い力で押し込むと、図４に示す通り爪片１２の先端が凹陥孔１３の内面に係合し、化粧板１０は樹脂成型品３ｂに対し取り付け状態となる。この時化粧板１０は、リブ１１との間で放熱パイプ８が偏平化する程度の圧力を放熱パイプ８に対して及ぼす。放熱パイプ８は、奥行き方向の寸法が圧縮され、上下方向の寸法が延びて、断面が縦長の偏平形状となる。放熱パイプ８は銅製であることから、作業者が化粧板１０を押し込む力で偏平化が可能である。
【００２２】
偏平化した放熱パイプ８は自身の弾性で化粧板１０に密着する。これにより放熱パイプ８と化粧板１０の密着度が上がるから、放熱パイプ８の熱が効率良く化粧板１０に伝えられる。化粧板１０に接していない部分を含めた、放熱パイプ８の化粧板１０に対する投影面積も、放熱パイプ８の偏平化により増大するから、輻射熱として化粧板１０に伝達される熱量も増大する。これらが相まって、放熱パイプ８が持つ熱を効率的に利用し、化粧板１０の結露を効果的に防ぐことができる。
【００２３】
化粧板１０を樹脂成型品３ｂに押し込むことで化粧板１０は樹脂成型品３ｂに取り付けられるので、化粧板１０取付作業の能率も向上する。放熱パイプ８の偏平化のため放熱パイプ８を強く圧迫するにあたっては従来用いられたブチルゴム製のクッションは邪魔であり、それをなくすことができる。これにより部品コストを削減できる上、ブチルゴムを介さないで放熱パイプ８の熱が直接化粧板１０に伝えられることから、熱伝達効率も向上する。
【００２４】
爪片１２と凹陥孔１３は化粧板１０の長さ方向に沿って複数箇所に配置される。図５に示す通り、ここでは３箇所に配置されている。なお３箇所という数は単なる例示であり、発明を限定するものではない。このように複数箇所に係合部を設定するに際し、以下に述べる設計的配慮を施したものが実施形態２である。
【００２５】
＜第２実施形態＞
第２実施形態では、複数の凹陥孔１３のうち、中央部の凹陥孔１３の左右に配置された凹陥孔１３は、中央部の凹陥孔１３に比べ、冷蔵庫１の奥寄りに配置されている。また樹脂成型品３ｂの前面は、化粧板１０の長さ方向において、扉６、７の方に向かって凸となるように僅かに湾曲している。このため、全ての爪片１２が自己に対応する凹陥孔１３に係合すると、それまで直線状であった化粧板１０は、その長さ方向を含む水平な平面内で、樹脂成型品３ｂの前面に沿うように曲げられる。すなわち化粧板１０は収納室の扉（冷凍室４の扉６及び冷蔵室５の扉７）に向かって凸となるように湾曲せしめられる。なお図５には扉の象徴としてドアキャップ６ｃが描かれている。
【００２６】
上記のように化粧板１０を湾曲させるのは、ドアキャップ６ｃ、７ｃが湾曲しているからである。ドアキャップ６ｃ、７ｃには、扉６、７で断熱層を形成する発泡樹脂の収縮により、それらを化粧パネル６ａ、７ａの方に引き寄せようとする力が働く。ドアキャップ６ｃ、７ｃの中でも左右両端に位置する部位は発泡樹脂の収縮力に抗し得るが、ドアキャップ６ｃ、７ｃの中央部は収縮力に抗しきれず発泡樹脂の収縮に追随する。そのため、ドアキャップ６ｃ、７ｃは図５に示すように湾曲する。射出成型時にドアキャップ６ｃ、７ｃに生じる内部応力も、図５のような湾曲を生じさせる。
【００２７】
ドアキャップ６ｃ、７ｃが図５のように湾曲したにも関わらず、化粧板１０が直線状を保っていると、ドアキャップ６ｃ、７ｃの化粧板１０に対する間隔が、化粧板１０の中央部分だけ広くなる。化粧板１０との間隔が広ければ、その分だけドアパッキン６ｄ、７ｄが引き伸ばされないと磁石６ｅ、７ｅが十分化粧板１０に吸着しなくなる。冷凍室４及び冷蔵室５の冷気にさらされるドアパッキン６ｄ、７ｄは硬化しており、引き伸ばしが困難であることも多い。そのような時はドアパッキン６ｄ、７ｄと化粧板１０の間に隙間が生じ、冷凍室４内あるいは冷蔵室５内の冷気が化粧板１０に直接当たることがある。このような場合、化粧板１０の結露は避けられない。
【００２８】
扉６、７に向かって凸となるように化粧板１０を湾曲させ、その湾曲の曲率を、化粧板１０とドアキャップ６ｃ、７ｃとの間隔がどの部位でもほぼ均等になるように設定しておけば、ドアパッキン６ｄ、７ｄによる気密保持をしっかりと維持することができる。これにより、放熱パイプ８による化粧板１０の防露効果が損なわれずに済む。
【００２９】
扉６、７に向かって凸となるように化粧板１０を湾曲させるにあたっては、樹脂成型品３ｂの前面の湾曲に化粧板１０を沿わせれば良いのであれば、係合部（爪片１２と凹陥孔１３）を左右２箇所に配置するだけでも目的を達成することができる。
【００３０】
以上、本発明の実施形態につき説明したが、本発明の範囲はこれに限定されるものではなく、発明の主旨を逸脱しない範囲で種々の変更を加えて実施することができる。
【産業上の利用可能性】
【００３１】
本発明は冷蔵庫に広く利用可能である。
【符号の説明】
【００３２】
１    冷蔵庫
２    筐体
３    仕切部
３ｂ    樹脂成型品
４    冷蔵室
５    冷凍室
６、７    扉
６ｃ、７ｃ  ドアキャップ
８    放熱パイプ
１０  化粧板
１２  爪片（化粧板側の係合部）
１３  凹陥孔（樹脂成型品側の係合部）
【要約】      （修正有）【課題】冷蔵庫の仕切部前面の化粧板の防露を、従来用いられていた部材なしでも確実に行えるようにする。【解決手段】冷蔵庫の筐体の内部には、仕切部により冷凍室と冷蔵室が区画される。冷凍室は扉で閉ざされ、冷蔵室は扉で閉ざされる。仕切部の前面には防露用の放熱パイプ８が配管され、放熱パイプ８は金属製の化粧板１０で隠される。放熱パイプ８は仕切部の前面部分を構成する樹脂成型品３ｂと化粧板１０の間に挟み付けられて保持される。化粧板１０は爪片１２を樹脂成型品３ｂの凹陥孔１３に係合させて樹脂成型品３ｂに取り付けられるものであり、その際放熱パイプ８が偏平化する程度の圧力を放熱パイプ８に対して及ぼす。【選択図】図４【図１】
0005597286.tif 000002
【図２】
0005597286.tif 000003
【図３】
0005597286.tif 000004
【図４】
0005597286.tif 000005
【図５】
0005597286.tif 000006
【図６】
0005597286.tif 000007